(57)【特許請求の範囲】
【請求項１】
外筒部と、該外筒部の内部に設けられ、底端近傍の内周面に凸縁が設けられる導管とを備えるチューブと、
前記チューブの内部に移動可能に取り付けられ、且つ前記導管に周設される、中空状を呈する移動部材と、
前記チューブの内部に圧縮可能に設置されると共に、下部圧縮管と、柱状部と、上部圧縮管とが順に設置され、その内、該下部圧縮管の内部に下棒が設けられ、該柱状部に該下部圧縮管の内部と該上部圧縮管の内部とを連通するための少なくとも１つの貫通孔が形成され、また、該下部圧縮管は、該チューブの導管の外周面に密着され、該下棒が該チューブの導管に挿設され、該下棒と該導管との間に、該上部圧縮管の内部と連通しないように通路が形成され、該下棒の底端の外周面が該導管の凸縁に当接されることにより、該導管の底端の開口が封止される弾性部材と、
前記チューブの上端に取り付けられ、中空状を呈するキャップと、を有し、
前記弾性部材は、前記キャップと移動部材にそれぞれ当接されると共に、前記上部圧縮管の内部に、前記柱状部の貫通孔が該キャップの内部と連通しないように上棒が設置され、
前記チューブにおける外筒部と導管との間に環状部が設けられ、該環状部に複数の位置決め孔が形成され、
前記移動部材は、リングを備え、該リングの底面に複数の位置決めリブが延設され、それらの位置決めリブはそれぞれ、前記チューブの環状部の位置決め孔と対応するように挿設され、
前記キャップは、上端に連結管が設けられ、底端に、前記チューブの外筒部上端の内部に挿設される環状ブロックが設けられ、
該上棒の上端に拡大部が設けられ、該拡大部の外周面は、前記キャップの環状ブロックの内周面に密着し、前記上部圧縮管の内部がキャップの内部と連通しなく、
該弾性部材における下部圧縮管と、柱状部と、上部圧縮管と、下棒は、一体に成形され、
該リングの上面に第一環状溝部が凹設され、前記下部圧縮管の底端が移動部材のリングの第一環状溝部に密着され、
前記キャップの環状ブロックの底面に第二環状溝部が凹設され、該第二環状溝部に前記弾性部材の上部圧縮管の上端が当接されることを特徴とする薬液漏れ防止タイプの針なし輸液用コネクタ。
【請求項２】
前記弾性部材の柱状部に貫通孔が形成され、前記下棒の上端が該貫通孔の下端の内周面に連結され、該貫通孔の内周面に複数の凹部が凹設され、それらの凹部の底端が下部圧縮管の内部と貫通し、該下棒と導管との間に形成される通路が該凹部と連通し、
前記キャップの環状ブロックの内部に上棒が下方に向かって延設され、該上棒の外周面に複数の溝部が凹設され、該溝部の上端が連結管の内部と連通し、該上棒の底端の外周面が弾性部材の柱状部の貫通孔の内周面に当接され、前記上部圧縮管の内部が柱状部の貫通孔と連通しないことを特徴とする請求項１に記載の薬液漏れ防止タイプの針なし輸液用コネクタ。
【請求項３】
前記チューブと、移動部材と、弾性部材と、キャップとの四つの部材のうち、該弾性部材における下部圧縮管と、柱状部と、上部圧縮管と、下棒、及び該キャップにおける連結管と、環状ブロックと、上棒とは、一体に成形されることを特徴とする請求項２に記載の薬液漏れ防止タイプの針なし輸液用コネクタ。
【請求項４】
前記弾性部材における柱状部の底面に下棒が下方に向かって延設され、該柱状部の上面に上棒が上方に向かって延設され、該柱状部における、該下棒及び該上棒の周りに複数の貫通孔が形成され、該下棒の上端の外周面における、該下棒と導管との間に形成された通路の上端にフランジが設けられ、該通路は、前記貫通孔と連通せず、更に、該上棒の上端に拡大部が設けられ、該拡大部の外周面は、前記キャップの環状ブロックの内周面に密着し、前記上部圧縮管の内部がキャップの内部と連通しないことを特徴とする請求項１に記載の薬液漏れ防止タイプの針なし輸液用コネクタ。
【請求項５】
前記チューブと、移動部材と、弾性部材と、キャップとの四つの部材のうち、該弾性部材における下部圧縮管と、柱状部と、上部圧縮管と、下棒と、上棒とは、一体に成形されることを特徴とする請求項４に記載の薬液漏れ防止タイプの針なし輸液用コネクタ。
【請求項６】
前記弾性部材における柱状部の底面に下棒が下方に向かって延設され、該柱状部の上面に上棒が上方に向かって延設され、該柱状部における、該下棒３４及び該上棒３７の周りに複数の貫通孔が形成され、該下棒の上端の外周面における、該下棒と導管との間に形成された通路の上端にフランジが設けられ、該通路は、それらの貫通孔と連通せず、更に、該上棒の上端に拡大部が設けられ、
前記キャップの環状ブロックの内周面に縁突が凸設され、前記上棒の拡大部の外周面が該縁突に密着し、前記上部圧縮管の内部がキャップと連通しないことを特徴とする請求項１に記載の薬液漏れ防止タイプの針なし輸液用コネクタ。
【請求項７】
前記弾性部材の下部圧縮管及び上部圧縮管はそれぞれ、上端にプレートが設けられ、それらのプレートに穴が形成され、柱状部の底面に下棒が下方に向かって延設され、該柱状部の上面に上棒が上方に向かって延設され、該柱状部における、該下棒及び該上棒の周りに複数の貫通孔が形成され、
前記チューブの導管の上端が下部圧縮管のプレートに当接されながら密着し、該プレートが柱状部に当接されることにより貫通孔を封止し、下棒と導管との間に形成された通路は該貫通孔と連通しないことを特徴とする請求項１に記載の薬液漏れ防止タイプの針なし輸液用コネクタ。
【発明の詳細な説明】
【技術分野】
【０００１】
本発明は、薬液の漏れを防止することができる輸液コネクタに関するものである。
【背景技術】
【０００２】
注射器は、薬液を患者に注入するために用いられる器具である。従来の注射器は、注射針を患者に差し入れて体内に薬液を注入するものであるが、針刺し事故の危険性があるため、その後、針なし注射器が開発された。
この針なし注射器を使用する時は、針なし輸液コネクタを薬液注入器に組み合わせて、針なし輸液コネクタの内部と薬液注入器の内部に輸液通路を形成させることにより、薬液を輸液通路を介して患者の体内に注入する。
【先行技術文献】
【特許文献】
【０００３】
【特許文献１】米国特許第７６４５２７４号
【特許文献２】米国特許第７８１５６１４号
【発明の概要】
【発明が解決しようとする課題】
【０００４】
しかしながら、既存の針なし輸液コネクタは、密着性に劣ることから、注射した後、薬液注入器から取り外す時に、薬液が漏れる恐れがあった。
【課題を解決するための手段】
【０００５】
上述した問題を解決するために、本発明に係る薬液漏れ防止タイプの針なし輸液用コネクタ、外筒部と、該外筒部の内部に設けられ、底端近傍の内周面に凸縁が設けられる導管とを備えるチューブと、
前記チューブの内部に移動可能に取り付けられ、且つ前記導管に周設される、中空状を呈する移動部材と、
前記チューブの内部に圧縮可能に設置されると共に、下部圧縮管と、柱状部と、上部圧縮管とが順に設置され、その内、該下部圧縮管の内部に下棒が設けられ、該柱状部に該下部圧縮管の内部と該上部圧縮管の内部とを連通するための少なくとも１つの貫通孔が形成され、また、該下部圧縮管は、該チューブの導管の外周面に密着され、該下棒が該チューブの導管に挿設され、該下棒と該導管との間に、該上部圧縮管の内部と連通しないように通路が形成され、該下棒の底端の外周面が該導管の凸縁に当接されることにより、該導管の底端の開口が封止される弾性部材と、
前記チューブの上端に取り付けられ、中空状を呈するキャップと、を有し、
前記弾性部材は、前記キャップと移動部材にそれぞれ当接されると共に、前記上部圧縮管の内部に、前記柱状部の貫通孔が該キャップの内部と連通しないように上棒が設置されるものである。
【０００６】
かかる薬液漏れ防止タイプの針なし輸液用コネクタにおいて、前記チューブにおける外筒部と導管との間に環状部が設けられ、該環状部に複数の位置決め孔が形成され、
前記移動部材は、リングを備え、該リングの底面に複数の位置決めリブが延設され、それらの位置決めリブはそれぞれ、前記チューブの環状部の位置決め孔と対応するように挿設されることが好ましい。
【０００７】
かかる薬液漏れ防止タイプの針なし輸液用コネクタにおいて、前記キャップは、上端に連結管が設けられ、底端に、前記チューブの外筒部上端の内部に挿設される環状ブロックが設けられることが好ましい。
【０００８】
かかる薬液漏れ防止タイプの針なし輸液用コネクタにおいて、前記弾性部材の柱状部に貫通孔が形成され、前記下棒の上端が該貫通孔の下端の内周面に連結され、該貫通孔の内周面に複数の凹部が凹設され、それらの凹部の底端が下部圧縮管の内部と貫通し、該下棒と導管との間に形成される通路が該凹部と連通し、
前記キャップの環状ブロックの内部に上棒が下方に向かって延設され、該上棒の外周面に複数の溝部が凹設され、該溝部の上端が連結管の内部と連通し、該上棒の底端の外周面が弾性部材の柱状部の貫通孔の内周面に当接され、前記上部圧縮管の内部が柱状部の貫通孔と連通しないことが好ましい。
【０００９】
かかる薬液漏れ防止タイプの針なし輸液用コネクタにおいて、前記チューブと、移動部材と、弾性部材と、キャップとの四つの部材のうち、該弾性部材における下部圧縮管と、柱状部と、上部圧縮管と、下棒、及び該キャップにおける連結管と、環状ブロックと、上棒とは、一体に成形されることが好ましい。
【００１０】
かかる薬液漏れ防止タイプの針なし輸液用コネクタにおいて、前記弾性部材における柱状部の底面に下棒が下方に向かって延設され、該柱状部の上面に上棒が上方に向かって延設され、該柱状部における、該下棒及び該上棒の周りに複数の貫通孔が形成され、該下棒の上端の外周面における、該下棒と導管との間に形成された通路の上端にフランジが設けられ、該通路は、前記貫通孔と連通せず、更に、該上棒の上端に拡大部が設けられ、該拡大部の外周面は、前記キャップの環状ブロックの内周面に密着し、前記上部圧縮管の内部がキャップの内部と連通しないことが好ましい。
【００１１】
かかる薬液漏れ防止タイプの針なし輸液用コネクタにおいて、前記チューブと、移動部材と、弾性部材と、キャップとの四つの部材のうち、該弾性部材における下部圧縮管と、柱状部と、上部圧縮管と、下棒と、上棒とは、一体に成形されることが好ましい。
【００１２】
かかる薬液漏れ防止タイプの針なし輸液用コネクタにおいて、前記弾性部材における柱状部の底面に下棒が下方に向かって延設され、該柱状部の上面に上棒が上方に向かって延設され、該柱状部における、該下棒３４及び該上棒３７の周りに複数の貫通孔が形成され、該下棒の上端の外周面における、該下棒と導管との間に形成された通路の上端にフランジが設けられ、該通路は、それらの貫通孔と連通せず、更に、該上棒の上端に拡大部が設けられ、
前記キャップの環状ブロックの内周面に縁突が凸設され、前記上棒の拡大部の外周面が該縁突に密着し、前記上部圧縮管の内部がキャップと連通しないことが好ましい。
【００１３】
かかる薬液漏れ防止タイプの針なし輸液用コネクタにおいて、前記チューブと、移動部材と、弾性部材と、上棒と、キャップとの五つの部材のうち、該弾性部材における下部圧縮管と、柱状部と、上部圧縮管と、下棒は、一体に成形されることが好ましい。
【００１４】
かかる薬液漏れ防止タイプの針なし輸液用コネクタにおいて、前記弾性部材の下部圧縮管及び上部圧縮管はそれぞれ、上端にプレートが設けられ、それらのプレートに穴が形成され、柱状部の底面に下棒が下方に向かって延設され、該柱状部の上面に上棒が上方に向かって延設され、該柱状部における、該下棒及び該上棒の周りに複数の貫通孔が形成され、
前記チューブの導管の上端が下部圧縮管のプレートに当接されながら密着し、該プレートが柱状部に当接されることにより貫通孔を封止し、下棒と導管との間に形成された通路は該貫通孔と連通せず、
前記上棒の上端に拡大部が設けられ、該拡大部の外周面が上部圧縮管のプレートの穴の内周面に当接されながら密着し、上部圧縮管の内部がキャップの内部と連通しないことが好ましい。
【００１５】
かかる薬液漏れ防止タイプの針なし輸液用コネクタにおいて、前記チューブと、移動部材と、下部圧縮管と、柱状部と、上部圧縮管と、キャップとの六つの部材のうち、該下棒及び上棒は、該柱状部と一体に成形されることが好ましい。
【発明の効果】
【００１６】
本発明に係る薬液漏れ防止タイプの針なし輸液用コネクタは上記の構成を有するので、薬液注入器から取り外す時、針なし輸液用コネクタの内部に負圧が生じて吸引力が発生するので、外部の薬液を内部へ吸込むと共に、圧縮管が自身の弾性力により伸びて元の形状に戻り、輸液通路を封止することから、薬液の漏れを防止することができる。
【図面の簡単な説明】
【００１７】
【図１】本発明に係る薬液漏れ防止タイプの針なし輸液用コネクタの第一実施例の斜視図である。
【図２】本発明に係る薬液漏れ防止タイプの針なし輸液用コネクタの第一実施例の分解斜視図である。
【図３】本発明に係る薬液漏れ防止タイプの針なし輸液用コネクタの第一実施例の部分断面分解斜視図である。
【図４】本発明に係る薬液漏れ防止タイプの針なし輸液用コネクタの第一実施例の断面図である。
【図５】本発明に係る薬液漏れ防止タイプの針なし輸液用コネクタの第一実施例の使用状態を示す断面図である。
【図６】本発明に係る薬液漏れ防止タイプの針なし輸液用コネクタの第一実施例において、注射器に取り付ける動作を示す斜視図である。
【図７】注射器に結合した薬液漏れ防止タイプの針なし輸液用コネクタに取り付ける薬液注入器を示す斜視図である。
【図８】本発明に係る薬液漏れ防止タイプの針なし輸液用コネクタの第一実施例において、注射器及び薬液注入器に取り付ける使用状態を示す断面図である。
【図９】本発明に係る薬液漏れ防止タイプの針なし輸液用コネクタの第一実施例において、注射器及び薬液注入器に取り付ける使用状態を示す断面図である。
【図１０】本発明に係る薬液漏れ防止タイプの針なし輸液用コネクタの第一実施例において、注射器及び薬液注入器に取り付ける使用状態を示す断面図である。
【図１１】本発明に係る薬液漏れ防止タイプの針なし輸液用コネクタの第二実施例の斜視図である。
【図１２】本発明に係る薬液漏れ防止タイプの針なし輸液用コネクタの第二実施例の部分断面分解斜視図である。
【図１３】本発明に係る薬液漏れ防止タイプの針なし輸液用コネクタの第二実施例の断面図である。
【図１４】本発明に係る薬液漏れ防止タイプの針なし輸液用コネクタの第二実施例の使用状態を示す断面図である。
【図１５】本発明に係る薬液漏れ防止タイプの針なし輸液用コネクタの第二実施例において、注射器及び薬液注入器に取り付ける使用状態を示す断面図である。
【図１６】本発明に係る薬液漏れ防止タイプの針なし輸液用コネクタの第二実施例において、注射器及び薬液注入器に取り付ける使用状態を示す断面図である。
【図１７】本発明に係る薬液漏れ防止タイプの針なし輸液用コネクタの第二実施例において、注射器及び薬液注入器に取り付ける使用状態を示す断面図である。
【図１８】本発明に係る薬液漏れ防止タイプの針なし輸液用コネクタの第三実施例の斜視図である。
【図１９】本発明に係る薬液漏れ防止タイプの針なし輸液用コネクタの第三実施例の部分断面分解斜視図である。
【図２０】本発明に係る薬液漏れ防止タイプの針なし輸液用コネクタの第三実施例の断面図である。
【図２１】本発明に係る薬液漏れ防止タイプの針なし輸液用コネクタの第三実施例の使用状態を示す断面図である。
【図２２】本発明に係る薬液漏れ防止タイプの針なし輸液用コネクタの第四実施例の分解斜視図である。
【図２３】本発明に係る薬液漏れ防止タイプの針なし輸液用コネクタの第四実施例の部分断面分解斜視図である。
【図２４】本発明に係る薬液漏れ防止タイプの針なし輸液用コネクタの第四実施例の断面図である。
【図２５】本発明に係る薬液漏れ防止タイプの針なし輸液用コネクタの第四実施例の使用状態を示す断面図である。
【図２６】本発明に係る薬液漏れ防止タイプの針なし輸液用コネクタの第一実施例において、上部圧縮管及び下部圧縮管が球状の壁を備える例を示す斜視図である。
【図２７】本発明に係る薬液漏れ防止タイプの針なし輸液用コネクタの第二実施例において、上部圧縮管及び下部圧縮管が球状の壁を備える例を示す斜視図である。
【図２８】本発明に係る薬液漏れ防止タイプの針なし輸液用コネクタの第三実施例において、上部圧縮管及び下部圧縮管が球状の壁を備える例を示す斜視図である。
【図２９】本発明に係る薬液漏れ防止タイプの針なし輸液用コネクタの第四実施例において、上部圧縮管及び下部圧縮管が球状の壁を備える例を示す斜視図である。
【発明を実施するための形態】
【００１８】
以下、添付図面を参照して本発明の適切な実施の形態を詳細に説明する。
【００１９】
図１乃至図４に示すように、本発明に係る薬液漏れ防止タイプの針なし輸液用コネクタは、チューブ１０と、移動部材２０と、弾性部材３０と、キャップ４０とを有する。
【００２０】
前記チューブ１０は、外筒部１１を備え、該外筒部１１の底端に内ネジ１１１が形成され、該外筒部１１の内部且つ該内ネジ１１１の近傍に導管１２が設けられ、該導管１２の底端近傍の内周面に凸縁１２１が設けられ、該外筒部１１と導管１２との間に環状部１３が設けられ、該環状部１３に複数の位置決め孔１３１が間隔をおいて形成される。尚、それらの位置決め孔１３１は、該チューブ１０の軸方向に沿って形成される。
【００２１】
前記移動部材２０は、中空状を呈し、リング２１を備え、該リング２１の上面に第一環状溝部２１１が凹設され、該リング２１の底面に複数の位置決めリブ２２が間隔をおいて延設される。尚、それらの位置決めリブ２２はそれぞれ、前記環状部１３の位置決め孔１３１と対応するように挿設される。
【００２２】
また、前記移動部材２０は、チューブ１０の内部に移動可能に取り付けられ、チューブ１０の導管１２に、環状部１３の上側に位置するようにリング２１が周設されると共に、環状部１３の位置決め孔１３１に位置決めリブ２２が挿設される。尚、この構造によれば、移動部材２０は、チューブ１０に対して軸方向しか移動することができない。
【００２３】
前記弾性部材３０は、下から上へ順に下部圧縮管３１、柱状部３２、及び上部圧縮管３３を備え、その内、該下部圧縮管３１及び上部圧縮管３３は、外力を受けると変形し、外力から解放されると、元の形に回復する性質を有する。一方、前記柱状部３２に少なくとも１つの貫通孔３２１が軸方向に沿って形成され、該貫通孔３２１による下部圧縮管３１の内部は、上部圧縮管３３の内部と連通し、更に、該下部圧縮管３１の内部に外径が導管１２の内径より小さい下棒３４が設けられる。
【００２４】
また、前記弾性部材３０は、移動部材２０の上側に位置するように、チューブ１０の内部に圧縮可能に設置され、前記下部圧縮管３１は、チューブ１０の導管１２の外周面に密着されると共に、その底端は移動部材２０のリング２１の第一環状溝部２１１に密着され更に、その導管１２の上端外周面は、下部圧縮管３１の上端内周面に密着される。この構成によれば、下部圧縮管３１と導管１２との間の空間３５は、柱状部３２の貫通孔３２１と連通しない。
【００２５】
また、チューブ１０の導管１２に下棒３４が挿設される場合、下棒３４と導管１２との間に、上部圧縮管３３の内部と連通しないように通路３６が形成されると共に、該下棒３４の底端外周面が導管１２の凸縁１２１に当接されることから、導管１２の底端の開口は封止状態となる。
【００２６】
前記キャップ４０は、中空状を呈し、上端に連結管４１が設けられ、底端に環状ブロック４２が設けられ、該連結管４１の外周面に外ネジ４１１が設けられる。また、該キャップ４０は、チューブ１０の上端に取り付けられ、環状ブロック４２は、チューブ１０の外筒部１１上端の内部に挿設されることから、前記弾性部材３０の上端がキャップ４０の環状ブロック４２に当接されると共に、該弾性部材３０の下部圧縮管３１の貫通孔３２１がキャップ４０の内部と連通しない構成となる。
【００２７】
図１乃至図５は、本発明に係る第一実施例である。
本実施例において、前記チューブ１０における外筒部１１の内周面の上端近傍に環状の係合リング１１２が凸設され、該外筒部１１の内周面に複数の係合リブ１１３が軸方向に沿って凸設される。
【００２８】
前記弾性部材３０の柱状部３２における底面中央に下棒３４が下方に向かって延設されると共に、上面中央に上棒３７が上方に向かって延設され、該柱状部３２に間隔をおいて、且つ下棒３４及び上棒３７の周りに複数の貫通孔３２１が形成され、該下棒３４の上端の外周面、且つ該下棒３４と導管１２との間に形成された通路３６の上端にフランジ３４１が設けられる。故に、前記通路３６が貫通孔３２１と連通しない。
【００２９】
前記上棒３７は、上部圧縮管３３の内部に位置すると共に、上端に拡大部３７１が設けられ、該拡大部３７１の外周面がキャップ４０の環状ブロック４２の底端の内周面に密着されるので、上部圧縮管３３の内部はキャップ４０の内部と連通しない。
尚、前記上部圧縮管３３及び下部圧縮管３１は、波状の壁を備えてもよく、また、上部圧縮管３３０及び下部圧縮管３１０は、図２６に示すように、球状の壁を備えてもよい。
【００３０】
前記キャップ４０の環状ブロック４２の底面に第二環状溝部４２１が凹設され、該第二環状溝部４２１に前記弾性部材３０の上部圧縮管３３の上端が当接され、該環状ブロック４２の外周面に環状の係合溝部４２２が凹設され、該環状ブロック４２の外周面に複数の係合凹部４２３が軸方向に沿って凹設されることから、前記チューブ１０の外筒部１１の係合リング１１２が該係合溝部４２２に係合され、また、前記チューブ１０の外筒部１１の係合リブ１１３が該係合凹部４２３に係合されることによって、キャップ４０が脱落しないように、且つ回転しないようにチューブ１０にしっかりと取り付けられる。
【００３１】
本発明に係る第一実施例は、チューブ１０と、移動部材２０と、弾性部材３０と、キャップ４０とを有し、その内、弾性部材３０は、下部圧縮管３１と、柱状部３２と、上部圧縮管３３と、下棒３４と、上棒３７を有し、それらは一体に形成される。
【００３２】
図６に示すように、第一実施例において、本発明に係る薬液漏れ防止タイプの針なし輸液用コネクタを使用する時は、まず外ネジ４１１を注射器５０の先端に螺合させることによりキャップ４０を取り付ける。図７に示すように、実際の需要に応じて、薬液注入器６０、６０Ａ、６０Ｂをチューブ１０の外筒部１１に結合させて使用する。
【００３３】
図５乃至図８に示すように、薬液注入器６０を例として説明すると、薬液注入器６０をチューブ１０に結合させた時、薬液注入器６０が移動部材２０の位置決めリブ２２を押し込んで移動部材２０をチューブ１０の内部へ移動させ、移動部材２０がチューブ１０に対して上方へ移動すると、弾性部材３０の上部圧縮管３３及び下部圧縮管３１が圧縮して変形する。この時、弾性部材３０の下棒３４の底端がチューブ１０の導管１２の凸縁１２１から離れ、導管１２の底端の開口が開いて、下棒３４の上端のフランジ３４１が、下棒３４と導管１２との間に形成された通路３６の上端から離れ、通路３６が柱状部３２の貫通孔３２１と連通し、また、上棒３７の拡大部３７１がキャップ４０の環状ブロック４２の内周面から離れ、上部圧縮管３３の内部がキャップ４０の内部と連通する。
【００３４】
さらに、前記薬液注入器６０をチューブ１０にねじ込む時、チューブ１０の導管１２が薬液注入器６０の内部に挿し込まれることにより、弾性弁６１を押し込むので、導管１２の底端の開口が薬液注入器６０の内部と連通し、薬液漏れ防止タイプの針なし輸液用コネクタの内部と薬液注入器６０の内部に輸液通路が形成される。この構成によれば、図９に示すように、注射器５０の内部の薬液７０を、順に薬液漏れ防止タイプの針なし輸液用コネクタ、薬液注入器６０、該薬液注入器６０に連結している輸液管８０を介して通って患者の体内に注入することができる。
【００３５】
図４及び図１０に示すように、患者への薬液の注入が完了すると、薬液漏れ防止タイプの針なし輸液用コネクタを薬液注入器６０から取り外せば、弾性部材３０の上部圧縮管３３及び下部圧縮管３１が自身の弾性力により伸びて元の形状に戻ることにより、その上部圧縮管３３の上端がキャップ４０に阻止されることから、以下に示す三つの密着効果を有する。
一、弾性部材３０の下棒３４の底端がチューブ１０の導管１２の凸縁１２１に当接するように復位して、導管１２の底端の開口を封止する。
二、下棒３４の上端のフランジ３４１が下棒３４と導管１２との間に形成された通路３６の上端に挿設するように復位する。
三、上棒３７の拡大部３７１がキャップ４０の環状ブロック４２の内周面に密着するように復位する。
一方、薬液漏れ防止タイプの針なし輸液用コネクタを薬液注入器６０から取り外す時は、弾性部材３０の内部に負圧が生じて吸引力は発生することから、薬液漏れ防止タイプの針なし輸液用コネクタの外部の薬液が内部へ吸込まれるので、上述した三つの密着構造によって薬液の漏れを防止することができる。
【００３６】
図１１乃至図１４に示すのは、本発明に係る第二実施例である。
弾性部材３０Ａの下棒３４Ａの中央に貫通孔３２１Ａが形成され、該貫通孔３２１Ａの下端の内周面に該下棒３４Ａの上端が連結され、また、該貫通孔３２１Ａの内周面に、底端が下部圧縮管３１Ａの内部と貫通する複数の凹部３２２Ａが間隔をおいて凹設され、該下棒３４Ａと導管１２Ａとの間に形成された通路３６Ａは、それらの凹部３２２Ａと連通する。尚、上部圧縮管３３Ａ及び下部圧縮管３１Ａは、波状の壁を備えてもよく、上部圧縮管３３０Ａ及び下部圧縮管３１０Ａは、図２７に示すように、球状の壁を備えてもよい。
【００３７】
前記キャップ４０Ａの環状ブロック４２Ａの底面に第二環状溝部４２１Ａが凹設され、該第二環状溝部４２１Ａに弾性部材３０Ａの上部圧縮管３３Ａの上端が当接され、該環状ブロック４２Ａの内部に下方に向かって上棒４３Ａが延設され、該上棒４３Ａの外周面に複数の溝部４３１Ａが間隔をおいて軸方向に沿って凹設され、それらの溝部４３１Ａは、環状に配列され、且つ上端が連結管４１Ａの内部と連通するように形成される。更に、該上棒４３Ａは、弾性部材３０Ａの上部圧縮管３３Ａの内部に挿設され、該上棒４３Ａの底端の外周面は、弾性部材３０Ａの柱状部３２Ａの貫通孔３２１Ａの上端の内周面に当接され、この構成によれば、上部圧縮管３３Ａの内部が柱状部３２Ａの貫通孔３２１Ａと連通しない。
【００３８】
本発明に係る第二実施例は、チューブ１０Ａと、移動部材２０Ａと、弾性部材３０Ａと、キャップ４０Ａとを有し、その内、弾性部材３０Ａには、下部圧縮管３１Ａ、柱状部３２Ａ、上部圧縮管３３Ａ、下棒３４Ａを有し、それらは一体に形成され、該キャップ４０Ａには、連結管４１Ａ、環状ブロック４２Ａ、上棒４３Ａを有し、それらは一体に形成される。
【００３９】
図７に示すように、第二実施例において、本発明に係る薬液漏れ防止タイプの針なし輸液用コネクタを使用する時は、注射器５０を薬液注入器６０、６０Ａ、６０Ｂに結合させて使用する。
【００４０】
図１４及び図１５に示すように、薬液注入器６０を例として説明すると、薬液注入器６０をチューブ１０Ａに結合させたとき、薬液注入器６０が移動部材２０Ａを押し込み、チューブ１０Ａに対して移動させながら、移動部材２０Ａにより弾性部材３０Ａの上部圧縮管３３Ａ及び下部圧縮管３１Ａを圧縮させる。この時、弾性部材３０Ａの下棒３４Ａの底端がチューブ１０Ａの導管１２Ａの凸縁１２１Ａから離れ、導管１２Ａの底端の開口が開いて薬液注入器６０の内部と連通するようになる。また、キャップ４０Ａの上棒４３Ａの底端の外周面が弾性部材３０Ａの柱状部３２Ａの貫通孔３２１Ａの内周面から離れ、上部圧縮管３３Ａの内部が上棒４３Ａの溝部４３１Ａを介して柱状部３２Ａの貫通孔３２１Ａと連通するようになる。この構成によれば、薬液漏れ防止タイプの針なし輸液用コネクタの内部と薬液注入器６０の内部における輸液通路が連通するので、図１６に示すように、注射器５０の内部の薬液７０を、順に薬液漏れ防止タイプの針なし輸液用コネクタ、薬液注入器６０、該薬液注入器６０に連結している輸液管８０を介して患者の体内に注入することができる。
【００４１】
図１３及び図１７に示すように、患者への薬液の注入が完了すると、薬液漏れ防止タイプの針なし輸液用コネクタを薬液注入器６０から取り外せば、弾性部材３０Ａの上部圧縮管３３Ａ及び下部圧縮管３１Ａが自身の弾性力により伸びて元の形状に戻ることにより、その上部圧縮管３３Ａの上端がキャップ４０Ａに阻止されることから、以下の三つの密着効果を有する。
一、弾性部材３０Ａの下棒３４Ａの底端がチューブ１０Ａの導管１２Ａの凸縁１２１に当接するように復位して、導管１２Ａの底端の開口を封止する。
二、弾性部材３０Ａの下部圧縮管３１Ａの内周面が導管１２Ａの外周面に密着しながら復位する。
三、キャップ４０Ａの上棒４３Ａの底端が弾性部材３０Ａの柱状部３２Ａの貫通孔３２１Ａの内周面に密着するように復位する。
また、薬液漏れ防止タイプの針なし輸液用コネクタは、その内部に負圧が生じて吸引力が発生することから、薬液漏れ防止タイプの針なし輸液用コネクタの外部の薬液が内部へ吸込まれるので、上述した三つの密着構造によって薬液の漏れを防止することができる。
【００４２】
図１８乃至図２１に示すのは、本発明に係る第三実施例である。
前記弾性部材３０Ｂの柱状部３２Ｂの底面中央に下棒３４Ｂが延設され、該柱状部３２Ｂに、且つ下棒３４Ｂの周りに複数の貫通孔３２１Ｂが間隔をおいて形成され、該下棒３４Ｂの上端外周面にフランジ３４１Ｂが設けられ、このフランジ３４１Ｂは、下棒３４Ｂと導管１２Ｂとの間に形成された通路３６Ｂの上端の内部に挿設され、該通路３６Ｂは、貫通孔３２１Ｂと連通しない構成となっている。
【００４３】
また、前記柱状部３２Ｂの上面中央に上棒３７Ｂが上方に向かって取り付けられ、該上棒３７Ｂは、上部圧縮管３３Ｂの内部に位置すると共に、上端に拡大部３７１Ｂが設けられる。尚、その上部圧縮管３３Ｂ及び下部圧縮管３１Ｂは、波状の壁を備えてもよく、上部圧縮管３３０Ｂ及び３１０Ｂは、図２８に示すように、球状の壁を備えてもよい。
【００４４】
前記キャップ４０Ｂの環状ブロック４２Ｂの底面に第二環状溝部４２１Ｂが凹設され、該第二環状溝部４２１Ｂに弾性部材３０Ｂの上部圧縮管３３Ｂの上端が当設され、該環状ブロック４２Ｂの内周面の底端に縁突４２４Ｂが凸設され、この構成によれば、前記上棒３７Ｂの拡大部３７１Ｂの外周面が縁突４２４Ｂに密着されるので、前記上部圧縮管３３Ｂの内部がキャップ４０Ｂと連通しない。
【００４５】
本発明に係る第三実施例は、チューブ１０Ｂと、移動部材２０Ｂと、弾性部材３０と、上棒３７Ｂと、キャップ４０Ｂとを有し、その内、弾性部材３０Ｂにおける下部圧縮管３１Ｂと、柱状部３２Ｂと、上部圧縮管３３Ｂと、下棒３４Ｂとは一体に形成される。
【００４６】
図７に示すように、本発明に係る薬液漏れ防止タイプの針なし輸液用コネクタの第三実施例は、使用する時、注射器５０を薬液注入器６０、６０Ａ、６０Ｂに結合させて使用する。
【００４７】
図２１に示すように、薬液注入器６０を例として説明すると、薬液注入器６０をチューブ１０Ｂに結合させたとき、薬液注入器６０が移動部材２０Ｂを押し込んでチューブ１０Ｂに対して移動すると、移動部材２０Ｂにより弾性部材３０Ｂの上部圧縮管３３Ｂ及び下部圧縮管３１Ｂを圧縮させる。この時、弾性部材３０Ｂの下棒３４Ｂの底端がチューブ１０Ｂの導管１２Ｂの凸縁１２１Ｂから離れ、導管１２Ｂの底端の開口が開いて薬液注入器６０の内部と連通するようになるとともに、下棒３４Ｂの上端のフランジ３４１Ｂが下棒３４Ｂと導管１２Ｂとの間に形成された通路３６Ｂの上端から離れ、通路３６Ｂが柱状部３２Ｂの貫通孔３２１Ｂと連通するようになり、更に、上棒３７Ｂの拡大部３７１Ｂがキャップ４０Ｂの環状ブロック４２Ｂの縁突４２４Ｂから離れ、上部圧縮管３３Ｂの内部がキャップ４０Ｂの内部と連通するようになる。この構成によれば、薬液漏れ防止タイプ針なし輸液用コネクタの内部と薬液注入器６０の内部において輸液通路が連通するので、薬液を注入するための通路が形成される。
【００４８】
図２０に示すように、患者への薬液の注入が完了すると、薬液漏れ防止タイプの針なし輸液用コネクタを薬液注入器６０から取り外し、この時、弾性部材３０Ｂの上部圧縮管３３Ｂ及び下部圧縮管３１Ｂが自身の弾性力により伸びて元の形状に戻ることにより、上部圧縮管３３Ｂの上端がキャップ４０Ｂに阻止されることから、以下に示す三つの密着効果を有する。
一、弾性部材３０Ｂの下棒３４Ｂの底端がチューブ１０Ｂの導管１２Ｂの凸縁１２１に当接するように復位して、導管１２Ａの底端の開口を封止する。
二、下棒３４Ｂの上端のフランジ３４１Ｂが下棒３４Ｂと導管１２Ｂとの間に形成された通路３６Ｂの上端に挿設するように復位する。
三、上棒３７Ｂの拡大部３７１Ｂがキャップ４０Ｂの環状ブロック４２Ｂの縁突４２４Ｂに当接しながら密着するように復位する。
また、薬液漏れ防止タイプの針なし輸液用コネクタは、その内部に負圧が生じて吸引力が発生するため、薬液漏れ防止タイプの針なし輸液用コネクタの外部の薬液が内部へ吸込まれるので、上述した三つの密着構造によって薬液の漏れを防止することができる。
【００４９】
図２２乃至図２３は、本発明に係る第四実施例である。
弾性部材３０Ｃにおける下部圧縮管３１Ｃは、移動部材２０Ｃと柱状部３２Ｃとの間に設置されると共に、上部圧縮管３３Ｃは、柱状部３２Ｃとキャップ４０Ｃとの間に設置され、該下部圧縮管３１Ｃの上端にプレート３１１Ｃが設けられ、該プレート３１１Ｃの中央に穴３１２Ｃが形成され、一方、該上部圧縮管３３Ｃの上端にプレート３３１Ｃが設けられ、該プレート３３１Ｃの中央に穴３３２Ｃが形成され、更に、該柱状部３２Ｃの底面中央に下棒３４Ｃが下方に向かって延設されると共に、柱状部３２Ｃの上面中央に上棒３７Ｃが上方に向かって延設され、柱状部３２Ｃに、且つ下棒３４Ｃ及び上棒３７Ｃの周りに複数の貫通孔３２１Ｃが間隔をおいて形成される。
【００５０】
前記チューブ１０の導管１２の上端が下部圧縮管３１Ｃのプレート３１１Ｃの底面に当接しながら密着し、該プレート３１１Ｃが柱状部３２Ｃに当接されて貫通孔３２１Ｃの底端を封止することから、下棒３４Ｃと導管１２との間に形成された通路３６Ｃは貫通孔３２１Ｃと連通しない。
前記上棒３７Ｃは、上部圧縮管３３Ｃの内部に位置すると共に、上端に拡大部３７１Ｃが設けられ、該拡大部３７１Ｃの外周面は、上部圧縮管３３Ｃのプレート３３１Ｃの穴３３２Ｃの内周面に当接しながら密着するので、上部圧縮管３３Ｃの内部はキャップ４０Ｃの内部と連通しない。
【００５１】
尚、前記上部圧縮管３３Ｃ及び下部圧縮管３１Ｃは、波状の壁を備えてもよく、上部圧縮管３３０Ｃ及び下部圧縮管３１０Ｃは、図２９に示すように、球状の壁を備えてもよい。
【００５２】
本発明に係る第四実施例は、チューブ１０Ｃと、移動部材２０Ｃと、下部圧縮管３１Ｃと、柱状部３２Ｃと、上部圧縮管３３Ｃと、キャップ４０Ｃとを有し、その内、下棒３４Ｃ及び上棒３７Ｃは、柱状部３２Ｃと一体に形成される。
【００５３】
図７に示すように、本発明に係る薬液漏れ防止タイプの針なし輸液用コネクタの第四実施例は、使用する時、注射器５０を薬液注入器６０、６０Ａ、６０Ｂに結合させて使用する。
【００５４】
図２５に示すように、薬液注入器６０を例として説明すると、薬液注入器６０をチューブ１０Ｃに結合させた時、薬液注入器６０が移動部材２０Ｃを押し込んでチューブ１０Ｃに対して移動しながら、移動部材２０Ｃにより弾性部材３０Ｃの上部圧縮管３３Ｃ及び下部圧縮管３１Ｃを圧縮させる。この時、弾性部材３０Ｃの下棒３４Ｃの底端がチューブ１０Ｃの導管１２Ｃの凸縁１２１Ｃから離れ、導管１２Ｃの底端の開口が開いて薬液注入器６０の内部と連通するようになるとともに、チューブ１０の導管１２の上端が下部圧縮管３１Ｃのプレート３１１Ｃから離れ、下棒３４Ｃと導管１２Ｃとの間に形成された通路３６Ｃが、下部圧縮管３１Ｃのプレート３１１Ｃの穴３１２Ｃを介して柱状部３２Ｃの貫通孔３２１Ｃと連通するようになり、更に、上棒３７Ｃの拡大部３７１Ｃが、上部圧縮管３３Ｃのプレート３３１Ｃの穴３３２Ｃの内周面から離れ、上部圧縮管３３Ｃの内部がキャップ４０Ｃの内部と連通するようになり、この構成によれば、薬液漏れ防止タイプの針なし輸液用コネクタの内部と薬液注入器６０の内部において輸液通路が連通するので、薬液を注入するための通路が形成される。
【００５５】
図２４に示すように、患者への薬液の注入が完了すると、薬液漏れ防止タイプの針なし輸液用コネクタを薬液注入器６０から取り外し、この時、弾性部材３０Ｃの上部圧縮管３３Ｃ及び下部圧縮管３１Ｃが自身の弾性力により伸びて元の形状に戻り、その上部圧縮管３３Ｃの上端がキャップ４０Ｃに阻止されることから、以下に示す三つの密着効果を有する。
一、弾性部材３０Ｃの下棒３４Ｃの底端がチューブ１０Ｃの導管１２Ｃの底端に当接するように復位して、導管１２Ｃの底端の開口を封止する。
二、導管１２Ｃの上端が下部圧縮管３１Ｃのプレート３１１Ｃに当接しながら復位する。
三、上棒３７Ｃの拡大部３７１Ｃが上部圧縮管３３Ｃのプレート３３１Ｃの穴３３２Ｃの内周面に当接しながら復位する。
また、薬液漏れ防止タイプの針なし輸液用コネクタの内部に負圧が生じて吸引力が発生するため、薬液漏れ防止タイプの針なし輸液用コネクタの外部の薬液が内部へ吸込まれるので、上述した三つの密着構造によって薬液の漏れを防止することができる。
【産業上の利用可能性】
【００５６】
上述したように、本発明に係る薬液漏れ防止タイプの針なし輸液用コネクタにおいては、注射器の針刺し事故を防止することができると共に、薬液の漏れという問題も解決できるので、安全性や実用性に優れている。
【符号の説明】
【００５７】
１０      チューブ
１１      外筒部
１２      導管
１２１    凸縁
２０      移動部材
３０      弾性部材
３１      下部圧縮管
３２      柱状部
３２１    貫通孔
３３      上部圧縮管
３４      下棒
３６      通路
３７      上棒
４０      キャップ
【図１】
0005952791.tif 000002
【図２】
0005952791.tif 000003
【図３】
0005952791.tif 000004
【図４】
0005952791.tif 000005
【図５】
0005952791.tif 000006
【図６】
0005952791.tif 000007
【図７】
0005952791.tif 000008
【図８】
0005952791.tif 000009
【図９】
0005952791.tif 000010
【図１０】
0005952791.tif 000011
【図１１】
0005952791.tif 000012
【図１２】
0005952791.tif 000013
【図１３】
0005952791.tif 000014
【図１４】
0005952791.tif 000015
【図１５】
0005952791.tif 000016
【図１６】
0005952791.tif 000017
【図１７】
0005952791.tif 000018
【図１８】
0005952791.tif 000019
【図１９】
0005952791.tif 000020
【図２０】
0005952791.tif 000021
【図２１】
0005952791.tif 000022
【図２２】
0005952791.tif 000023
【図２３】
0005952791.tif 000024
【図２４】
0005952791.tif 000025
【図２５】
0005952791.tif 000026
【図２６】
0005952791.tif 000027
【図２７】
0005952791.tif 000028
【図２８】
0005952791.tif 000029
【図２９】
0005952791.tif 000030